(57)【要約】 【課題】 小さなダイヤモンド、小さなルビー等の貴石を大きく見せることができると共に、貴石の外観を見やすくすることのできる台座構造を提供する。【解決手段】 表示板に使用する貴石固定用台座１であって、前記貴石固定用台座１は、上方に貴石８を収納固定する台座本体２と、下方に表示板取付け用の取り付け足５とより構成され、平面視で前記貴石固定用台座１の外形より貴石８の一部が突出するようにしたことを特徴とする台座である。【選択図】 図３
2012013448.tif 000002
【特許請求の範囲】
【請求項１】
表示板に使用する貴石固定用台座であって、
前記貴石固定用台座は、上方に貴石を収納する収納固定部を有する台座本体と、下方に表示板取付け用の取付け足とより構成され、平面視で前記貴石固定用台座の外形より貴石の一部が突出していることを特徴とする台座。
【請求項２】
前記貴石は、前記台座本体が有する少なくとも1つの爪で固定されていることを特徴とする請求項１に記載の台座。
【請求項３】
前記貴石は、前記台座本体の地金を寄せて固定されていることを特徴とする請求項１に記載の台座。
【請求項４】
前記貴石は、前記台座本体に固定される固定板により、ガードルより上側で固定されることを特徴とする請求項１に記載の台座。
【請求項５】
前記固定板には模様が形成されていることを特徴とする請求項４に記載の台座。
【請求項６】
前記収納固定部は、貴石の外形が突出する辺が開放されていることを特徴とする請求項１に記載の台座。
【請求項７】
前記台座本体のＸ方向またはＹ方向のいずれか一方が、前記貴石の外形よりも短く形成されていることを特徴とする請求項１に記載の台座。
【請求項８】
前記取付け足は、平面形状が角形、楕円形の中の１つからなることを特徴とする請求項１に記載の台座。
【発明の詳細な説明】
【技術分野】
【０００１】
本発明は、時計用の表示板で、特に、ダイヤモンド、ルビーなどの貴石が固定される台座に関するものである。
【背景技術】
【０００２】
従来、時計用表示板に使用されている台座は、図１２の断面図に示すものが一般的であった（特許文献１参照）。この台座５０は、下方向に円筒状の足５１と、上方向に平面視略正方形で４コーナーにダイヤモンド等の貴石５２を固定するための爪５３が設けられている。台座５０への貴石５２の固定は、治具に固定した台座５０の中央に貴石５２をのせ、上方より、内面が円錐状のかしめ治具を降下させることにより、4本の爪が円錐状の内面に沿って貴石５２の表面に倒れ込むことでなされる。
【０００３】
次に、貴石５２が固定された台座５０の表示板５４への固定は、予め表示板５４に開けられた孔に台座５０の足５１を挿入し、その後、足５１の下面外側をかしめピン（先端が尖っている）で突いてかしめると共に、接着剤を塗布してなされる。
【０００４】
次に、他の従来技術としては、表示板に使用する台座ではないが、図１３の宝石を固定した台座を腕時計の秒針軸上に固定した状態を示すものがある（特許文献２参照）。
この台座５５は、秒針軸５６に取り付けたもので、特許文献１と同様に、下方向に円筒状の足５７と、上方向に平面視略正方形で４コーナーにダイヤモンド等の貴石５８を固定するための爪５９が設けられている。また、4本の爪５９の間はそれぞれ切り欠かれている。台座５５への貴石５８の固定は、治具に固定した台座５５の中央に貴石５８をのせ、上方より、内面が円錐状のかしめ治具を降下させることにより、4本の爪５９が円錐状の内面に沿って貴石５８の表面に倒れ込むことでなされる。
次に、貴石５８が固定された台座５５の秒針軸５６への取り付けは、円筒状の足５７を秒針軸５６の上方より圧入装着することでなされる。秒針軸５６が回転するとその上方に取り付けされた台座５５及び貴石５８も回転するようになっている。
【先行技術文献】
【特許文献】
【０００５】
【特許文献１】実開昭５８−７６１６５号公報
【特許文献２】特開平７−５５９５９号公報
【発明の概要】
【発明が解決しようとする課題】
【０００６】
しかしながら、上記従来の技術（特許文献１）にあっては、台座５０が平面視略正方形で４コーナーにダイヤモンド等の貴石５２を固定するための爪５３でダイヤモンド等の貴石５２を外周から包み込むように固定している。このため、多面カットしているダイヤモンド等の貴石５２を爪５３で隠すので、貴石５２の輝き、多面カットの美しさ及び形状の優美さを著しく損なうものとなっている。
また、貴石５２のガードル部分（貴石の最大径の部分）が台座５０内に配置されてしまうため、大きな貴石５２であってもその大きさを感じることができず、貴石５２の価値観を著しく損なうものとなっていた。
【０００７】
また、他の従来技術（特許文献２）にあっては、上記従来技術（特許文献１）と同様に、台座５５が平面視略正方形で４コーナーにダイヤモンド等の貴石５８を固定するための爪５９でダイヤモンド等の貴石５８を外周から包み込むように固定している。このため、
多面カットしているダイヤモンド等の貴石５８を爪５９で隠すので、貴石５８の輝き、多面カットの美しさ及び形状の優美さを著しく損なうものとなっている。
また、貴石５８のガードル部分（貴石の最大径の部分）が台座５５の４本の爪５９で抱え込むように固定保持されているため、大きな貴石５８であってもその大きさを感じることができず、貴石５８の価値観を著しく損なうものとなっていた。
【０００８】
本発明の目的は、このような問題を解決するため、簡単な構造からなる台座でありながら、ダイヤモンド等の貴石を大きく見せることができ、その上、貴石の輝きや深み、形状の優美さ及び多面カットの美しさを損なうことなく固定することのできる台座を提供することにある。
【０００９】
また、本発明の他の目的は、表示板等の基板に対する台座の回転方向を規制し、複数個の台座を基板に取り付けても全ての台座が一方向に向くことのできる台座を提供することにある。
【課題を解決するための手段】
【００１０】
上記の目的を達成するために、本発明に係わる台座は、表示板に使用する貴石固定用台座であって、前記貴石固定用台座は、上方に貴石を収納する収納固定部を有する台座本体と、下方に表示板取付け用の取付け足とより構成され、平面視で前記貴石固定用台座の外形より貴石の一部が突出していることを特徴とする。
かかる構成により、貴石を固定した台座は、貴石固定用台座の外形より貴石の一部が突出するようになっている。よって、貴石をハッキリと鮮明に見ることができると共に、貴石がより大きく感じられる。
【００１１】
また、貴石のガードル部分（貴石の最大径の部分）を見ることができることから、貴石の輝きや深み、形状の優美さ及び多面カットの美しさなども見え、貴石本来の美しさを実感することができ、貴石の価値観が損なわれることがない。
【００１２】
上記の目的を達成するために、前記貴石は、前記台座本体が有する少なくとも１つの爪で固定されていることを特徴とする。
かかる構成により、台座に貴石を固定するのに少なくとも１つの爪で固定しているので、貴石を覆う面積が小さくてすみ、貴石の輝きや深み、形状の優美さ及び多面カットの美しさなども見え、貴石本来の美しさを実感することができ、貴石の価値観を損なうことがない。
上記の目的を達成するために、前記貴石は、前記台座本体の地金を寄せて固定されていることを特徴とする。
かかる構成により、台座に貴石を固定するのに、貴石を覆う面積が極めて小さくてすみ、よって、貴石の輝きや深み、形状の優美さ及び多面カットの美しさなども見え、貴石本来の美しさを実感することができ、貴石の価値観を損なうことがない。
上記の目的を達成するために、前記貴石は、前記台座本体に固定される固定板により、ガードルより上側で固定されることを特徴とする。
かかる構成により、台座に貴石を固定するのに、貴石を覆う部分が一部側面と一部上面とであるので、従来の固定方法と比べ覆う面積が小さくてすみ、よって、貴石の輝きや深み、形状の優美さ及び多面カットの美しさなども見え、貴石本来の美しさ実感することができ、貴石の価値観を損なうことがない。また、貴石の上面を下方に押さえることで台座に貴石を固定する構造となっているので、今までにない新規なデザイン表現ができ、デザインバリエーションの拡大が図れる。
上記の目的を達成するために、前記固定板には模様が形成されていることを特徴とする。かかる構成により、台座に貴石を固定するのに、貴石の上面を固定板で下方に押さえることでなされており、この固定板に凹部の模様や貫通孔による模様を形成することで、台座
は、今までにない新規なデザイン表現ができ、デザインバリエーションの拡大が図れる。上記の目的を達成するために、前記収納固定部は、貴石の外形が突出する辺が開放されていることを特徴とする。  
かかる構成により、台座に固定された貴石の一部分は、ガードル部分（貴石の最大径の部分）から下方が見え、今まで見せることが難しかった貴石の部分を見せることができることにより、貴石の輝きや深み、形状の優美さ及び多面カットの美しさなどを表現することができ、デザインバリエーションの拡大が図れる。
上記の目的を達成するために、本発明に係わる台座は、前記台座本体のＸ方向またはＹ方向の長さのいずれか一方が前記貴石の外形よりも短く形成されていることを特徴とする。かかる構成により、貴石が固定された台座は、今までにないデザイン表現が可能となり、台座のデザインバリエーションの拡大が図れ、かつ貴石をハッキリと鮮明に見ることができると共に、より大きく感じられる。
上記の目的を達成するために、前記取付け足は、平面形状が角形、楕円形の中の１つからなることを特徴とする。
かかる構成により、貴石が固定された台座は、取付け足が角形や楕円形であれば表示板等の基板に対し台座の回転方向の規制が簡単にでき、基板に対し台座を一定方向に簡単に配置することができる。
【発明の効果】
【００１３】
以上のように、本発明によれば、貴石を固定した台座は、台座本体のどちらか一方が前記貴石の外形より小さく形成され、よって、貴石固定用台座の外形より貴石の一部が突出するようになっているので、貴石をハッキリと鮮明に見ることができると共に、より大きく見せることができる。また、貴石のガードル部分（貴石の最大径の部分）を見ることができることから、貴石の輝きや深み、形状の優美さ及び多面カットの美しさなども見え、貴石本来の美しさ実感することができ、貴石の価値観を損なうことがない。
【００１４】
また、台座に貴石を固定するのに少なくとも１つの爪で固定しているので、貴石を覆う面積が小さくてすみ、貴石の輝きや深み、形状の優美さ及び多面カットの美しさなども見え、貴石本来の美しさ実感することができ、貴石の価値観を損なうことがない。
【００１５】
また、貴石が固定された台座は、取付け足が角形や楕円形であれば表示板等の基板に対し台座の回転方向の規制が簡単にでき、基板に対し台座を一定方向に簡単に配置することができる。
【図面の簡単な説明】
【００１６】
【図１】本発明の第１の実施形態に係る台座の幅方向の側面図である。
【図２】本発明の第１の実施形態に係る台座の長さ方向の側面図である。
【図３】本発明の第１の実施形態に係る台座の平面図である。
【図４】本発明の第１の実施形態に係る角形の取付け孔が開いた表示板の平面図である。
【図５】本発明の第１の実施形態に係る丸形の取付け孔が開いた表示板の平面図である。
【図６】本発明の第２の実施形態に係る台座の幅方向の側面図である。
【図７】本発明の第２の実施形態に係る台座の長さ方向の側面図である。
【図８】本発明の第２の実施形態に係る台座の平面図である。
【図９】本発明の第３の実施形態に係る台座の平面図である。
【図１０】本発明の第４の実施形態に係る台座の長さ方向の側面図である。
【図１１】本発明の第４の実施形態に係る台座の平面図である。
【図１２】従来例で台座の断面図である。
【図１３】従来例で宝石を固定した台座を腕時計の秒針軸上に固定した状態を示す拡大断面図である。
【発明を実施するための形態】
【００１７】
以下、本発明の実施の形態（実施例）を図面に基づいて詳述する。なお、図面の説明において、同一または相当要素には同一の符号を付し、重複する説明は省略する。
＜第１の実施形態＞  
図１から図５は、本発明の第１の実施形態に係る台座構造を示すもので、図１は台座の幅方向の側面図、図２は台座の長さ方向の側面図、図３は台座の平面図、図４は角形の取付け孔が開いた表示板の平面図、図５は丸形の取付け孔が開いた表示板の平面図である。この貴石固定用台座１は、腕時計用の表示板１２に使用するもので、上方にダイヤモンド等の貴石８を収納する収納固定部３を有する台座本体２と、下方に表示板１２取付け用の取付け足５とより構成されている。
【００１８】
前記台座本体２は、Ｘ方向６の長さまたはＹ方向７の長さのどちらか一方が前記貴石８の外形より短く形成されている。また、前記台座本体２は、Ｘ方向６の長さまたはＹ方向７の長さで前記貴石８の外形より短い方向の両辺が下面から上面に向かって傾斜となっている。
【００１９】
また、台座本体２の収納固定部３の両側には、貴石８を固定するための爪４が形成されている。（本実施例では、爪が２つあるが爪１つでも成り立つ。）また、この爪４は、貴石８の外形より長さの短い台座本体２の両辺（図３のＹ方向７の二辺）に設けられ、貴石８の略中央にあるガードル１０の上側を覆うことのできる長さを有している。
前記貴石８を収納する収納固定部３は、台座本体２の中央部に設けられ円錐状に形成されると共に、貴石８の外形の一部が突出する両辺（図３のＸ方向６の二辺）が開放された切り欠き１１となっている。本実施例においては、貴石８にダイヤモンドを使用しているので収納固定部３が円錐状になっているが、貴石８の種類や形状によりこの収納固定部３の形状も変わる。
次に、貴石固定用台座１の下方に位置する取付け足５は、表示板１２に取付けるためのもので、基板である表示板１２の表面に貴石固定用台座１を複数個取付ける必要がある場合、取付け足５の平面形状が角形や楕円形であれば表示板１２に対し貴石固定用台座１の回転方向の規制が簡単にでき、表示板１２に対し貴石固定用台座１を一定方向に簡単に配置することができる。一方、表示板１２に対し貴石固定用台座１の回転方向の規制が必要ない場合、取付け足５の平面形状が丸形でよい。
次に、貴石固定用台座１にダイヤモンド等の貴石８を固定する方法を説明する。
平面形状が角形（長方形）の取付け足５を取付け足固定治具に固定し、貴石固定用台座１の収納固定部３に貴石８であるダイヤモンドをのせ、上方より、内面が円錐状のかしめ治具を降下させることにより、２本の爪４が円錐状の内面に沿って貴石８の表面に倒れ込むことでなされる。
次に、貴石固定用台座１を基板である表示板１２に固定する方法を説明する。
基板である表示板１２の表面に貴石固定用台座１を複数個取付ける必要がある場合で、表示板１２に対し貴石固定用台座１を一定方向に配置するには、基板である表示板１２に貴石固定用台座１を固定するための取付け足孔１３をプレスに取付けた金型で開ける。この時、取付け足孔１３（角形）は、平面形状が角形の長方形で、この取付け足孔１３に貴石固定用台座１の取付け足５（平面形状が長方形）を挿入し、表示板１２の裏面からかしめと接着剤とで表示板に固定する。これにより、表示板１２に対し貴石固定用台座１を一定方向に簡単に配置することができる。
【００２０】
また、基板である表示板１２の表面に対して貴石固定用台座１の回転方向の位置規制が必要ない場合、基板である表示板１２の表面に貴石固定用台座１を固定するための取付け足孔１４（丸形）は、平面形状が丸形でよく、よって、貴石固定用台座１の取付け足５も平面形状が丸形でよい。
以上のように、上記実施例によれば、貴石８が台座本体２のＸ方向６またはＹ方向７から
貴石８の一部が突出するようになっているので、貴石８をハッキリと鮮明に見ることができると共に、より大きく見せることができる。また、貴石８のガードル１０部分（貴石の最大径の部分）を見ることができることから、貴石８の輝きや深み、形状の優美さ及び多面カットの美しさなども見え、貴石８本来の美しさを実感することができ、貴石８の価値観を損なうことがない。
また、この貴石固定用台座１が取付けられた表示板１２は、貴石８がハッキリと鮮明に見ることができると共に、より大きく見せることができるので、表示板の外観品質も一段と美しく見えるようになる。
なお、上記実施例において、貴石８を貴石固定用台座１に固定するのに相対する２つの爪４で固定したが、爪４の長さを貴石８の上面に届く長さに形成し、貴石８の上面を爪４で下方向に押さえつけるようにすることで、１つの爪４で貴石８を貴石固定用台座１に固定することができる。また、爪４の表面を鏡面としたり、模様を入れたりすることで貴石固定用台座１のデザインバリエーションの拡大を図ることができる。
＜第２の実施形態＞  
次に、図６から図８は、本発明の第２の実施形態に係る台座構造を示したもので、図６は台座の幅方向の側面図、図７は台座の長さ方向の側面図、図８は台座の平面図である。  第１の実施形態と異なるところは、台座本体２２の貴石８の外形より小さい方向の両辺（図８のＹ方向７）が下面から上に向かって垂直となっている点と、貴石８を固定するための爪２４が台座本体２２の収納固定部２３の両側にそれぞれ２本形成されている点である。
【００２１】
貴石固定用台座２０の前記台座本体２２は、Ｘ方向６の長さまたはＹ方向７の長さのどちらか一方が前記貴石８の外形より小さく形成されている。また、前記台座本体２２は、Ｘ方向６の長さまたはＹ方向７の長さで前記貴石８外形より小さい方向の両辺が下面から上に向かって垂直となっている。
【００２２】
また、前記台座本体２２の収納固定部２３の両側で貴石８の外形より長さの短い台座本体２の両辺（図８のＹ方向７）には、貴石８を固定するための爪２４が相対する位置にそれぞれ２本形成されている。（第１の実施形態では、爪４が相対する位置にそれぞれ１本形成されている。）また、この爪２４は、貴石８の略中央にあるガードル１０の上側を覆うことのできる長さを有している。
なお、その他の構造は第１の実施形態と同様であるので説明は省略する。
以上のような構成であるので、貴石固定用台座２０に貴石８を極めて安定して固定することができると共に、両辺に形成したそれぞれの爪２４の間から貴石８が見え、デザインバリエーションの拡大を図ることができる。
＜第３の実施形態＞  
次に、図９は、本発明の第３の実施形態に係る台座構造を示したもので、図９は台座の平面図である。第１の実施形態と異なるところは、貴石固定用台座３０の台座本体３２に固定する貴石８の固定方法が爪４からななこ留め３４に変わった点で、その他は第１の実施形態と同様である。
前記台座本体３２の収納固定部３３に貴石８をのせ、前記台座本体３２表面で貴石８の近傍をたがね（先端が丸形形状となっている。）で地金を寄せて４点で固定する。ななこ留めは、指輪、ネックレス等の装飾部材に貴石８を固定するための一般的な方法で、その他にかす留め、チョイ留め等などがある。なお、その他の構造は第１の実施形態と同様であるので説明は省略する。
以上のような構成であるので、台座本体３２から貴石８が突出すると共に、貴石８を覆う地金面積が極めて小さくてすみ、よって、貴石８の輝きや深み、形状の優美さ及び多面カットの美しさなども見え、貴石８本来の美しさを実感することができ、貴石８の価値観を損なうことがない。
＜第４の実施形態＞  
次に、図１０から図１１は、本発明の第４の実施形態に係る台座構造を示したもので、図１０は台座の長さ方向の側面図、図１１は台座の平面図である。第１の実施形態と異なるところは、貴石固定用台座４０の台座本体４２に固定する貴石８の固定方法が爪４から固定板４６に変わった点で、その他は第１の実施形態と同様である。
前記台座本体４２の収納固定部４３には、Ｘ方向の相対する両側壁またはＹ方向の相対する両側壁に前記固定板４６が固定される凹部４８が形成されている。この収納固定部４３に貴石８をのせ、断面形状が略コ字形でその両端の内側に前記凹部４８に係合する突起４７が形成された固定板４６を前記貴石８の表面を覆うように被せ、前記固定板４６の上面から下方向に押圧することで、前記凹部４８に前記突起４７を係合させる。これにより、前記台座本体４２の収納固定部４３に前記貴石８が固定される。また、この固定板４６の表面には、凹状の模様４９または貫通孔状の模様４９が形成され、前記貴石固定用台座４０のデザインバリエーションの拡大を図っている。なお、第１の実施形態と同様に、前記貴石８を収納する収納固定部４３は、台座本体４２の中央部に設けられ円錐状に形成されると共に、貴石８の外形の一部が突出する両辺が開放された切り欠き４１となっている。以上のような構成であるので、台座本体４２から貴石８が突出すると共に、貴石８表面の一部分を固定板４６で覆い固定するので、貴石８を大きく見せることができると共に、今までにない新たな貴石固定用台座４０の表現ができる。また、貴石８の輝きや深み、形状の優美さ及び多面カットの美しさと、固定板４６に施された美しい模様と相まって貴石固定用台座４０の美しさを一段とアップすることができる。
【００２３】
なお、上記第１の実施形態から第４の実施形態において、貴石固定用台座に貴石を１つ固定したもので説明したが、貴石固定用台座のＸ方向またはＹ方向を長くし、貴石の収納固定部を複数設け、この収納固定部に複数の貴石を固定した台座構造も成り立つことは言うまでもない。また、貴石固定用台座の収納固定部表面を鏡面とすることで、この収納固定部に取付けられた貴石の輝きを一層おおきくすることができ、貴石が固定された貴石固定用台座の品質をより一層高めることができる。
【符号の説明】
【００２４】
２０、３０、４０  貴石固定用台座
２２、３２、４２  台座本体
２３、３３、４３  収納固定部
２４  爪
５  取付け足
６  Ｘ方向
７  Ｙ方向
８  貴石
９  突出部
１０  ガードル
１１、４１  切り欠き
１２  表示板
１３  取付け孔（角形）
１４  取付け孔（丸形）
３４  ななこ留め
４６  固定板
４７  突起
４８  凹部
４９  模様
【図１】
2012013448.tif 000003
【図２】
2012013448.tif 000004
【図３】
2012013448.tif 000005
【図４】
2012013448.tif 000006
【図５】
2012013448.tif 000007
【図６】
2012013448.tif 000008
【図７】
2012013448.tif 000009
【図８】
2012013448.tif 000010
【図９】
2012013448.tif 000011
【図１０】
2012013448.tif 000012
【図１１】
2012013448.tif 000013
【図１２】
2012013448.tif 000014
【図１３】
2012013448.tif 000015